(57)【要約】【課題】引手による運搬をしても液漏れし難い保冷箱を提供する。【解決手段】容器本体１０と蓋２０とを具備する直方体形状の保冷箱であって、容器本体の対向する一方の側壁Ｓ１には引手４０が設けられており、引手から遠い側の側壁Ｓ２近くの蓋裏面には位置決め突条部２０Ｔを具備し、容器本体の上部に載置できて前記位置決め突条部の傍の定位置に位置しているか、又は前記引手を引いた際の保冷箱の傾きによって前記位置決め突条部の傍にまで移動することができる閉塞体ＴＲＦを具備し、該閉塞体の前記位置決め突条部の側の周縁ラインＴＦＦは該位置決め突条部の内側面２０ＴＦに沿った形状をしている。【選択図】図４
2010173661.tif 000002
【特許請求の範囲】
【請求項１】
容器本体（１０）と蓋（２０）とを具備する直方体形状の保冷箱であって、容器本体の所定対向側壁の一方の側壁（Ｓ１）には、他方の側壁（Ｓ２）寄りに装着した転動体（Ｒ）が地面上を転動しつつ該保冷箱を運搬するための引手（４０）が設けられており、
前記引手から遠い側である前記他方の側壁（Ｓ２）近くの蓋裏面には、該他方の側壁の内面と、該他方の側壁に隣接する一方の隣接側壁（Ｓ３又はＳ４）の内面とに亘って沿い、下方に向かって突出し、容器本体の側壁内側に侵入する位置決め突条部（２０Ｔ）を具備し、
容器本体の上部に載置できて前記位置決め突条部の傍の定位置に位置しているか、又は前記引手を引いた際の保冷箱の傾きによって前記位置決め突条部の傍にまで移動することができる閉塞体（ＴＲ１）を具備し、
該閉塞体の前記位置決め突条部の側の周縁ライン（ＴＦＦ）は該位置決め突条部の内側面（２０ＴＦ）に沿った形状を成している
ことを特徴とする保冷箱。
【発明の詳細な説明】
【技術分野】
【０００１】
本発明は、魚釣りやレジャーに使用できるクーラーボックス等の保冷箱（保温箱を含む）に関する。
【背景技術】
【０００２】
例えば、下記特許文献１には、保冷箱の保冷効果を保持すべく、容器本体と蓋との境界部に、内外の空気流通を防止するパッキンが周設されている。一方、保冷箱の中には川の水や海水が入れられ、この中に釣った獲物が入れられる。従って、保冷箱内の液は獲物のヌメリや血が混ざって汚液となる。
保冷箱の運搬構造としては、下記特許文献２には図１に図示されているように、その運搬のために手提げハンドルが設けられている。また、下記特許文献３の図２等に開示のように、保冷箱がある程度以上大きくなると、手提げハンドルでは持ち運びすることが困難となり、そうした場合に、直方体状の保冷箱の所定側壁部に引手を設け、この引手を持って保冷箱下部の車輪を地面上に転動させて保冷箱を引きながら運搬することが行われる。こうした場合、一時的に保冷箱が傾斜する程度ならば、通常設けられている上記のパッキンの作用によって、内部の液の外部への染み出しが防止され得る。
【特許文献１】特許第３０９０５９５号公報
【特許文献２】特開２００７−１９５４９４号公報
【特許文献３】特開平１０−２５０７７８号公報
【発明の開示】
【発明が解決しようとする課題】
【０００３】
然しながら、引手を引きながら運搬する場合は、保冷箱は一時的に単に傾斜するだけではなく、所定時間傾斜状態が維持され、更には地面の凹凸によってガタガタと揺れる。従って、上記通常のパッキンだけでは、一時的とはいえない運搬中の傾斜による液漏れを防止できるとは限らず、また、揺れながらの運搬であるため、内部の汚液が大きく強く上下に揺れ、その波の力で内部の汚液が容器本体と蓋との境界部から染み出ようとする。染み出た液は非常に汚く、釣人の衣服に付着したり、また、乾燥後には保冷箱表面に汚れ跡が残る。
依って解決しようとする課題は、引手による運搬をしても液漏れし難い保冷箱の提供である。
【課題を解決するための手段】
【０００４】
上記課題解決のために第１の発明は、容器本体と蓋とを具備する直方体形状の保冷箱であって、容器本体の所定対向側壁の一方の側壁には、他方の側壁寄りに装着した転動体が地面上を転動しつつ該保冷箱を運搬するための引手が設けられており、前記引手から遠い側である前記他方の側壁近くの蓋裏面には、該他方の側壁の内面と、該他方の側壁に隣接する一方の隣接側壁の内面とに亘って沿い、下方に向かって突出し、容器本体の側壁内側に侵入する位置決め突条部を具備し、容器本体の上部に載置できて前記位置決め突条部の傍の定位置に位置しているか、又は前記引手を引いた際の保冷箱の傾きによって前記位置決め突条部の傍にまで移動することができる閉塞体を具備し、該閉塞体の前記位置決め突条部の側の周縁ラインは該位置決め突条部の内側面に沿った形状を成していることを特徴とする保冷箱を提供する。
閉塞体の周縁ラインとは、閉塞体が箱状の場合は、閉塞体の側壁や側壁等に設けられたフランジの形状であってもよく、その他、その底壁や、蓋付きの場合にその蓋の周縁ラインであってもよい。
【発明の効果】
【０００５】
第１の発明では、蓋には、容器本体に蓋を閉める際の位置決め用に位置決め突条部が下方に突設されており、この位置決め突条部は引手から遠い側（対向反対側）の側壁内面と、これに隣接する（少なくとも）一方の側壁内面とに亘って沿っているため、蓋の２次元方向（平面内方向）の位置決めができる。一方、閉塞体は、位置決め突条部の傍定位置にあるか或いはここまで移動することができ、位置決め突条部の側の閉塞体の周縁ラインは該位置決め突条部の内側面に沿った形状を成しているため、この閉塞体自体の閉構造と共に、特定周縁ラインを有するトレーと位置決め突条部との協働作用によって、容器内部の液の波を押さえて、引手とは反対側に集まった液が外部に漏れ出ることを防止できる。
【発明を実施するための最良の形態】
【０００６】
以下、本発明を添付図面を用いて詳細に説明する。図１は本発明に係る保冷箱の正面図、図２は引手によって保冷箱を運搬中の正面図、図３は図１の縦断面図、図４は図３の矢視線Ｄ−Ｄによる部分断面の平面図、図５は図３の矢視線Ｅ−Ｅによる横断面図である。保冷箱の各部はネジを除いて合成樹脂材で成形できる。容器本体１０と蓋２０とを有する直方体形状の保冷箱には、容器本体の、この例では長手方向に対向する所定対向側壁Ｓ１，Ｓ２の間に亘って、ブリッジ状の手提げハンドル３０が装着されている。前記所定対向側壁の一方の側壁Ｓ１の外側に設けた引手収納カバー５０に対し、引手４０が上方に出し入れ可能に構成されている。また、他方の側壁Ｓ２の上部外側にはハンドル装着部６０が装着されている。更には、側壁Ｓ２の下部位置には、転動体としての車輪Ｒが設けられている。
【０００７】
蓋２０の下面部には、容器本体１０と当接する全周に、パッキン２０Ｐが周設されている。また蓋と他の対向側壁の一方（正面側側壁）Ｓ３との間で、解放可能に蓋縁部を保持できる係止機構２０Ｋ１が設けられている。また、本実施形態例では、他方側壁Ｓ４と蓋との間でも同様な係止機構２０Ｋ２が設けられている。従って、本形態例では図５に２点鎖線で示すように、蓋２０は、係止機構２０Ｋ１を操作して側壁Ｓ４側の蓋縁部が軸支された状態で開放できたり、また、他の係止機構２０Ｋ２を操作して側壁Ｓ３側の蓋縁部が軸支された状態で開放できたり、或いは両方の係止機構を操作して蓋を容器本体から完全に取り外すこともできる。しかし、一方の係止機構のみであってもよい。
【０００８】
本願の保冷箱は、引手収納カバー５０から上方に引き出して幾分回転させた引手４０を引っ張って車輪Ｒを地面上に転がしつつ運搬できる。このような必要性も考えられる大きさの保冷箱であるため、蓋の閉鎖をより確実化させるため、少なくとも一方のサイド部（側壁Ｓ１又はＳ２）にも、ロック部材７０を有して、係止機構としてのロック機構を設けている。この場合は、側壁Ｓ１側には引手４０を設けているため、その対向側である側壁Ｓ２側に設けている。このロック機構の存在により、後述の引手使用時の内部からの液漏れ防止に寄与する。
【０００９】
蓋２０の裏面側には２か所に位置決め突条部２０Ｔ，２０Ｔ’を突設している。蓋を閉じた状態で、一方２０Ｔは側壁Ｓ２の上部内面に沿っており、他方２０Ｔ’は対向する側壁Ｓ１の上部内面に沿っている。もう少し正確に言えば、位置決め突条部２０Ｔは側壁Ｓ２に隣接する側壁Ｓ３にも連続して沿った突条が形成されており（実態は、側壁Ｓ２に沿った長い突条と、側壁Ｓ３のコーナー部分だけの短い突条とが連続している）、この形態例では、側壁Ｓ２に隣接する他の側壁Ｓ４にも沿った同様に短い突条が連続形成されている。他方２０Ｔ’についても同様である。
【００１０】
容器本体１０の対向する側壁Ｓ３とＳ４の各上端部、即ち、容器本体１０の上部開口Ｊを区画形成する（一部の）側壁の上部には、該各側壁に沿った段差部１０Ｄ，１０Ｄ’が形成されている。一方、この形態例の閉塞体は、箱状のトレーであり、蓋付きで、概ね直方体形状の２個のトレーＴＲ１，ＴＲ２が、各トレー容器本体ＴＲＨ，ＴＲＨ’の上部フランジ部ＴＦを介してこの段差部上にスライド可能に載置され、容器本体１０の上部開口Ｊの一部又は略全体を覆うようになっている。夫々のトレー容器本体には蓋ＴＲＦ，ＴＲＦ’が装着される。各トレー容器本体は、底壁も側壁も平面状であって、上部開口以外には隙間は無い。各トレー容器本体ＴＲＨ，ＴＲＨ’は容器本体１０の中の液が下方からは侵入しない閉構造である。また、この例の両トレーは同一寸法形状である。トレーに代えて、本願の閉塞体は、後述の容器本体の開口Ｊの全体又は一部を覆う保冷箱の内蓋といえる部材でもよく、概ね平面状の板状部材でもよい。
【００１１】
トレーＴＲ１の、位置決め突条部２０Ｔの側の周縁ラインＴＦＦは、この位置決め突条部２０Ｔの内側面２０ＴＦに沿った形状に形成されている。この例での周縁ラインＴＦＦは、トレー容器本体のフランジ部ＴＦの周縁ラインであると共に蓋ＴＲＦの周縁ラインでもある。しかし、一方だけの周縁ラインでもよい。このため、少なくとも図２のようにして運搬する際には、トレーＴＲ１は、他のトレーＴＲ２の存在の有無に拘わらず、位置決め突条部２０Ｔに対し実質的に当接し、位置決め突条部の内側面２０ＴＦとトレーＴＲ１の周縁ラインＴＦＦとの間は実質塞がっているが、僅かな隙間が存在しても、引手４０を引いて運搬する際の、保冷箱内部の液の波（おどり）を通す程の大きさではなく、その波を実質的に防止できて、側壁Ｓ２と蓋２０との境界部から液が漏れ出ることが防止できればよい。
【００１２】
この例では、他のトレーＴＲ２と他の位置決め突条部２０Ｔ’との関係においても同様に構成されており、トレーＴＲ１の存在を前提に、位置決め突条部２０Ｔ’の内側面２０ＴＦ’とトレーＴＲ２の位置決め突条部２０Ｔ’の側の周縁ラインＴＦＦ’との間は実質的に塞がっている。従って、仮に保冷箱内部の液の波がこちらに押し寄せても液漏れを防止できる。しかし、本願では、側壁Ｓ１側のトレーＴＲ２に関しては、突条部２０Ｔ’と周縁ラインＴＦＦ’との間に大きな隙間があってもよく、また、トレーＴＲ２の存在の有無もどちらでもよい。
【００１３】
更には、本実施形態例では、トレーＴＲ１のトレーＴＲ２への対面縁ＴＦｆは、トレーＴＲ２のトレーＴＲ１への対面縁ＴＦｆ’と実質的に当接するように構成している。従って、両トレーによって容器本体１０の開口部を実質的に塞いでいるため、引手４０で引いて運搬する際の液の波をより効果的に抑えることができ、液漏れが効果的に防止可能となる。しかし、本願はこれに限らず、上記対面縁ＴＦｆと対面縁ＴＦｆ’との間に大きな隙間が存在し得て、その分、各トレーが移動自在であってもよい。
【産業上の利用可能性】
【００１４】
本発明は、魚釣りやレジャーに使用するクーラーボックス等の保冷箱（や保温箱）に利用できる。
【図面の簡単な説明】
【００１５】
【図１】図１は本発明に係る保冷箱の正面図である。
【図２】図２は引手によって保冷箱を運搬中の正面図である。
【図３】図３は図１の縦断面図である。
【図４】図４は図３の矢視線Ｄ−Ｄによる部分断面の平面図である。
【図５】図５は図３の矢視線Ｅ−Ｅによる横断面図である。
【符号の説明】
【００１６】
１０                        容器本体
２０                        蓋
２０Ｔ                      位置決め突条部
２０ＴＦ                    位置決め突条部の内側面
４０                        引手
Ｒ                          転動体（車輪）
ＴＲ１                      トレー
ＴＦＦ                      トレーの周縁ライン
【図１】
2010173661.tif 000003
【図２】
2010173661.tif 000004
【図３】
2010173661.tif 000005
【図４】
2010173661.tif 000006
【図５】
2010173661.tif 000007